(57)【要約】【課題】保温性を向上させることができるクッション、ひざ掛けまたは防寒着などの保温具を提供する。【解決手段】保温具１００は、表皮１０１を備えている。表皮１０１は、保温材１０５を保持袋１０２を介して収容するためのものであり、布材を袋状に形成して構成されている。保持袋１０２は、表皮１０１内において保温材１０４を収容するための袋である。保持袋１０２の外表面には、アルミニウム材を蒸着した保温層１０３が形成されている。保温材１０４は、綿によって構成されており、綿の隙間に保温粒体１０５を備えている。保温粒体１０５は、保温材１０４の保温性を維持向上させるための部材であり、互いに大きさの異なる複数種類の発泡樹脂製の粒状体によって構成されている。【選択図】  図２
2015112191.tif 000002
【特許請求の範囲】
【請求項１】
シート材を袋状に形成した表皮内に綿、羽毛、羊毛および多孔質体のうちの少なくとも１つを含んで構成される保温材を詰めた保温具において、
前記保温材内に、前記保温材内の隙間や孔部に進入可能な大きさでかつ互いに大きさが異なる複数の発泡樹脂製の粒体からなる保温粒体が混合されていることを特徴とする保温具。
【請求項２】
請求項１に記載した保温具において、
前記保温粒体は、大きさが１.０ｍｍ以上の保温粒体が１.０ｍｍ未満の大きさの保温粒体の数よりも多いことを特徴とする保温具。
【請求項３】
請求項１または請求項２に記載した保温具において、
前記保温粒体は、
前記保温材に混合される前記保温粒体の大きさのメディアン値が同保温材に混合される前記保温粒体の大きさの平均値よりも大きいことを特徴とする保温具。
【請求項４】
請求項１または請求項２に記載した保温具において、
前記保温粒体は、
前記保温材に混合される前記保温粒体の大きさの平均値以上の大きな前記保温粒体の数が前記平均値未満の大きさの前記保温粒体の数よりも多いことを特徴とする保温具。
【請求項５】
請求項１または請求項２に記載した保温具において、
前記保温材に混合される前記保温粒体の大きさのメディアン値が同保温材に混合される前記保温粒体の大きさの平均値よりも小さいことを特徴とする保温具。
【請求項６】
請求項１ないし請求項５のうちのいずれか１つに記載した保温具において、
前記表皮は、伸縮性を有するストレッチ生地で構成されて前記保温材を全面から押圧した状態で収容することを特徴とする保温具。
【発明の詳細な説明】
【技術分野】
【０００１】
本発明は、保温性を向上させたクッション、ひざ掛けまたは防寒着などの保温具に関する
【背景技術】
【０００２】
従来から、布材を袋状に形成した表皮内に綿や羽毛などからなる保温材を詰めたクッションが知られている。例えば、下記特許文献１には、綿（わた）や羽毛を保温材として表皮材内に充填した座布団が開示されている。
【先行技術文献】
【特許文献】
【０００３】
【特許文献１】実開平０７−９１６０号公報
【０００４】
しかしながら、上記特許文献１に記載した座布団においては、保温材が綿（わた）や羽毛だけで構成されているため、冬季などの寒冷期における使用時に保温性が低く感じられるという問題があった。また、従来の座布団においては、使用によって次第にふっくらした膨張感が失われやすいという問題もあった。
【発明の概要】
【０００５】
本発明は上記問題に対処するためなされたもので、その目的は、保温性を向上させることができるとともにふっくらとした膨張感の喪失を抑制することができるクッション、ひざ掛けまたは防寒着などの保温具を提供することにある。
【０００６】
上記目的を達成するため、本発明の特徴は、シート材を袋状に形成した表皮内に綿、羽毛、羊毛および多孔質体のうちの少なくとも１つを含んで構成される保温材を詰めた保温具において、保温材内に、保温材内の隙間や孔部に進入可能な大きさでかつ互いに大きさが異なる複数の発泡樹脂製の粒体からなる保温粒体が混合されていることにある。この場合、多孔質体は、空気を保持する複数の孔部を有して構成されており、例えば、スポンジ、ウレタンおよび発泡スチロールなどがある。また、保温具としては、臀部や腰部に宛がうクッション（座布団を含む）、抱き枕、ひざ掛けなどのブランケット、および保温材を充填したオーバーコート（外套）などがある。
【０００７】
このように構成した本発明の特徴によれば、保温具は、綿（わた）、羽毛、羊毛および多孔質体などからなる保温材内に互いに大きさが異なる複数の粒体からなる保温粒体が混合されているため、保温材内の様々な大きさの隙間にこの隙間に応じた大きさの保温粒体がそれぞれ嵌って保持される。これにより、本発明に係る保温具は、保温粒体が保温材の表面から内部まで効果的に保持されるとともに保温材からの離脱が抑制されるため、保温材および保温粒体による保温性を維持向上させることができるとともにふっくらとした膨張感の喪失を抑制することができる。
【０００８】
また、本発明の他の特徴は、前記保温具において、保温粒体は、大きさが１.０ｍｍ以上の保温粒体が１.０ｍｍ未満の大きさの保温粒体の数よりも多いことにある。
【０００９】
このように構成した本発明の他の特徴によれば、保温具は、保温粒体の大きさが１.０ｍｍ以上の保温粒体が１.０ｍｍ未満の大きさの保温粒体の数よりも多く含まれて構成されている。すなわち、保温具は、保温材における隙間や孔部に嵌ったり引っ掛かったりし易い大きさの大きな保温粒体が大きさの小さい保温粒体に比べて混合比率が大きいため、保温粒体による保温性を維持向上させることができるとともに保温粒体の表皮からの漏出を抑制することができる。なお、この場合、大きさが１.０ｍｍ以上の保温粒体および大きさが１.０ｍｍ未満の大きさの保温粒体の数は、適当な数（例えば、１００〜５００個）の保温粒体を無作為に抽出したサンプリング法によって設定することができる。
【００１０】
また、本発明の他の特徴は、前記保温具において、保温粒体は、保温材に混合される保温粒体の大きさのメディアン値が同保温材に混合される保温粒体の大きさの平均値よりも大きいことにある。
【００１１】
このように構成した本発明の他の特徴によれば、保温具は、保温材に混合される保温粒体は、大きさの分布が均等（正規分布）ではなく大きい方に偏るようになる。すなわち、保温粒体は、分布の度数が高い大きさ保温粒体に対してかなり小さな大きさの保温粒体を含むことになる。これにより、保温具は、保温材における小さな隙間や孔部にまで保温粒体が進入することができるため、保温具の保温性を向上させることができる。なお、この場合、保温材に混合される保温粒体の大きさのメディアン値が同保温材に混合される保温粒体の大きさの平均値よりも大きく設定されているか否かは、適当な数（例えば、１００〜５００個）の保温粒体を無作為に抽出したサンプリング法によって確認することができる。
【００１２】
また、本発明の他の特徴は、前記保温具において、保温粒体は、保温材に混合される保温粒体の大きさの平均値以上の大きな保温粒体の数が平均値未満の大きさの保温粒体の数よりも多いことにある。
【００１３】
このように構成した本発明の他の特徴によれば、保温具は、保温材に混合される保温粒体の大きさの平均値以上の大きな保温粒体の数が平均値未満の大きさの保温粒体の数よりも多く含まれて構成されている。すなわち、保温具は、保温材における隙間や孔部に嵌ったり引っ掛かったりし易い大きさの大きな保温粒体が大きさの小さい保温粒体に比べて混合比率が大きいため、保温粒体による保温性を維持向上させることができるとともに保温粒体の表皮からの漏出を抑制することができる。なお、この場合、前記平均値よりも大きさが大きい保温粒体および大きさ小さい保温粒体の数は、適当な数（例えば、１００〜５００個）の保温粒体を無作為に抽出したサンプリング法によって設定および確認することができる。
【００１４】
また、本発明の他の特徴は、前記保温具において、保温粒体は、保温材に混合される保温粒体の大きさのメディアン値が同保温材に混合される保温粒体の大きさの平均値よりも小さいことにある。
【００１５】
このように構成した本発明の他の特徴によれば、保温具は、保温材に混合される保温粒体の大きさの分布において、大きさの小さい側の保温粒体の数が大きさの大きな側の保温粒体の数に比べて多くなるため、保温材の隙間や孔部に対して複数の保温粒体が嵌り易くなって保温具の保温性を向上させることができるとともにふっくらとした膨張感の喪失を抑制することができる。なお、この場合、保温材に混合される保温粒体の大きさのメディアン値が同保温材に混合される保温粒体の大きさの平均値よりも小さく設定されているか否かは、適当な数（例えば、１００〜５００個）の保温粒体を無作為に抽出したサンプリング法によって確認することができる。
【００１６】
また、本発明の他の特徴は、前記保温具において、表皮は、伸縮性を有するストレッチ生地で構成されて保温材を全面から押圧した状態で収容することにある。この場合、ストレッチ生地とは、生地の縦方向、横方向に柔軟に延び縮みする生地であり、例えば、スパンデックス（ポリウレタン弾性繊維）などで構成されている。
【００１７】
このように構成した本発明の他の特徴によれば、保温具は、表皮が伸縮性を有するストレッチ生地で構成されて保温材を全面から押圧した状態で収容しているため、表皮の弾性力による押圧力によって保温粒体が保温材内に進入し易いとともに脱漏し難くなるほか保温粒体間も詰められるため、より保温性を向上させることができる。
【図面の簡単な説明】
【００１８】
【図１】本発明の一実施形態に係る保温具としてのクッションの外観構成の概略を示す斜視図である。
【図２】図１に示したクッションの一部の断面を拡大して示す一部拡大断面図である。
【発明を実施するための形態】
【００１９】
以下、本発明に係る保温具の一実施形態について図面を参照しながら説明する。図１は、本発明に係る保温具１００の外観構成の概略を示す斜視図である。また、図２は、図１に示した保温具１００の一部の断面を拡大して示す一部拡大断面図である。なお、本明細書において参照する図は、本発明の理解を容易にするために一部の構成要素を誇張して表わすなど模式的に表している。このため、各構成要素間の寸法や比率などは異なっていることがある。この保温具１００は、人が座ったり横になったりする際に身体の一部に敷いたり抱いたりして使用するクッションである。
【００２０】
（保温具１００の構成）
保温具１００は、表皮１０１を備えている。表皮１０１は、後述する保温材１０５を収容するためのものであり、布材を袋状に形成して構成されている。より具体的には、表皮１０１は、人が身体の一部に敷いたり抱いたりすることができる大きさに形成された２枚の方形状の布材を互いに重ね合わせるとともにこれらの重ね合わせた２つの布材の周囲を縫合することによって内部に空間を有した袋状に形成されている。本実施形態においては、表皮１０１は、ポリエステル樹脂製の綿（化学繊維）と木綿とを混合した生地によって構成されている。この表皮１０１内には、保持袋１０２が収容されている。
【００２１】
保持袋１０２は、表皮１０１内において保温材１０４を収容するためのものであり、
表皮１０１の内側の大きさに対応する大きさの袋状に形成されている。本実施形態においては、保持袋１０２は、２枚の樹脂製のフィルム材を互いに重ね合わせるとともに重ね合わせた２つのフィルム材の周囲を溶着することによって内部空間が密閉された袋状に形成されている。なお、図２においては、保持袋１０２を明確に示すため、保持袋１０２の厚さを誇張して表している。
【００２２】
この保持袋１０２の外表面には、保温層１０３が形成されている。保温層１０３は、保温具１００の保温性を向上させるためのものであり、外部からの熱線（赤外線）を反射または吸収する材料で構成されている。本実施形態においては、保温層１０３は、保持袋１０２の外表面にアルミニウム材を蒸着した薄膜で構成されている。この保持袋１０２内には、保温材１０４が収容されている。
【００２３】
保温材１０４は、身体を外気から遮断して保温するための部材であり、綿（わた）や羽毛によって構成されている。本実施形態においては、保温材１０４は、ポリエステル樹脂製の綿（化学繊維）からなる中綿によって構成されている。この場合、保温材１０４を構成する綿は、中実の糸のほか、中空糸で構成することにより保温性をより高めることができる。この保温材１０４には、保温粒体１０５が分散配置されている。
【００２４】
保温粒体１０５は、保温材１０４の保温性を維持向上させるための部材であり、互いに大きさの異なる複数種類の発泡樹脂製の粒状体によって構成されている。本実施形態においては、保温粒体１０５は、０.５〜２.０ｍｍの大きさの範囲で複数種類の大きさに形成された発泡ポリスチレン樹脂製の球体群によって構成されている。この場合、保温粒体１０５は、大きさが１.０ｍｍ以上の保温粒体１０５が１.０ｍｍ未満の大きさの保温粒体１０５の数よりも多く構成されている。
【００２５】
また、保温粒体１０５の保温材１０４に対する混合量は、保温材１０４の重量に対して５％以上かつ４０％以下、好ましくは、１０％以上かつ３０％以下、より好ましくは１５％以上かつ２５％以下が好適である。本実施形態においては、保温粒体１０５の保温材１０４に対する混合量は、保温材１０４の重量に対して１６％に設定されている。
【００２６】
ここで、保温具１００の製造過程について簡単に説明しておく。まず、保温具１００を製造する作業者は、保温材１０４と保温粒体１０５とをそれぞれ用意する。本実施形態においては、作業者は、保温材１０４としてポリエステル樹脂製の綿を用意するとともに、保温粒体１０５として０.５〜２.０ｍｍの大きさの範囲で複数種類の大きさに形成された発泡ポリスチレン樹脂製の球体群を保温材１０４の重量に対して１６％の重量割合で用意する。
【００２７】
次いで、作業者は、用意した保温材１０４と保温粒体１０５とをそれぞれ図示しない撹拌機を用いて撹拌することにより、ポリエステル樹脂製の綿と保温粒体１０５とを互いに混ぜ合わせる。この場合、保温粒体１０５は、互いに異なる複数種類の大きさで構成されているため、保温材１０４の内部に形成される大小様々な大きさの隙間にそれぞれ対応する大きさの保温粒体１０５が嵌って保持される。これにより、作業者は、保温材１０４と保温粒体１０５とを効率的に分散配置した状態で混ぜ合わせることができる。次いで、作業者は、開口部を有する袋状の保持袋１０２を用意するとともに、この保持袋内に前記互いに混ぜ合わせた保温材１０４と保温粒体１０５とを充填した後、この保持袋１０２の開口部を溶着して閉じる。
【００２８】
次いで、作業者は、表皮１０１を構成する２つの布材を用意した後、図示しない縫製機にこれら２つの布材と前記保温材１０４および保温粒体１０５を充填した保持袋１０２とをセットして表皮１０１の縫製を行う。この場合、縫製機は、表皮１０１の外縁部を縫合する。これにより、作業者は、保温具１００を製造することができる。
【００２９】
（保温具１００の作動）
次に、上記のように構成した保温具１００の作動について説明する。この保温具１００は、人が座ったり横になったりする際に身体の一部に敷いたり抱いたりして用いられる。この場合、保温具１００は、保温粒体１０５が互いに異なる複数種類の大きさで形成されているため、保温材１０４における大小様々な大きさの隙間にそれぞれ対応する大きさの保温粒体１０５が嵌って保持される。これにより、保温具１００は、保温材１０４の保温性を向上させることができるとともに、使用時にユーザが動いた場合であっても保温粒体１０５の保温材１０４からの離脱を抑制して保温性を維持させることができる。また、保温具１００は、主として人体からの圧迫を受けながら使用されるため、この圧迫によって保温粒体１０５が保温材１０４内への進入が促されて保温性を維持向上することができる。
【００３０】
また、保温具１００は、保温材１０４が保持袋１０２に収容されているため、保温粒体１０５が保温材１０４から離脱した場合であっても表皮１０１からの漏出を防止できる。また、保温具１００は、保持袋１０２の表面に保温層１０３が形成されているため、身体から放出された熱を反射して身体を覆う内部空間の保温性を維持向上させることができる。
【００３１】
また、さらに、保温具１００は、保温具１００の使用時以外の取扱いの際、具体的には、使用後の片付けの際および洗濯や布団干しの際などにおいても保温粒体１０５の保温材１０４からの離脱や保温材１０４の位置ずれなどを防止することができる。
【００３２】
上記作動説明からも理解できるように、上記実施形態によれば、保温具１００は、綿からなる保温材１０４内に互いに大きさが異なる複数の粒体からなる保温粒体１０５が混合されているため、保温材１０４内の様々な大きさの隙間にこの隙間に応じた大きさの保温粒体１０５がそれぞれ嵌って保持される。これにより、本発明に係る保温具１００は、保温粒体１０５が保温材１０４に効果的に保持されて保温材１０４からの離脱が抑制されるため、保温粒体１０５による保温性を維持向上させることができるとともに保温粒体１０５の表皮１０１からの漏出を抑制することができるとともにふっくらとした膨張感の喪失を抑制することができる。
【００３３】
さらに、本発明の実施にあたっては、上記実施形態に限定されるものではなく、本発明の目的を逸脱しない限りにおいて種々の変更が可能である。
【００３４】
例えば、上記実施形態においては、保温粒体１０５は、０.５〜２.０ｍｍの大きさの範囲で複数種類の大きさに形成された発泡ポリスチレン樹脂製の球体群によって構成されている。しかし、保温粒体１０５は、互いに大きさが異なる複数の発泡樹脂製の粒体で構成されていればよく、必ずしも上記実施形態に限定されるものではない。したがって、保温粒体１０５は、０.５ｍｍ未満または２.０を超える大きさの粒体で構成されていてもよいし、粒体の形状も球体以外の形状、例えば、立方体、直方体、多面体または錐体など様々な異形立体形状で構成することができる。この場合、本発明者の実験によれば、保温粒体１０５の大きさは、０.５ｍｍ以上かつ４.０ｍｍ以下、好ましくは、０.５ｍｍ以上かつ２.０ｍｍ以下が好適である。
【００３５】
また、これらの場合、保温粒体１０５は、表面に凹凸を形成して表面粗さを粗く形成しておくことで、保温材１０４からの離脱をより効果的に抑制することができる。なお、保温粒体１０５は、球状に形成することにより保温材１０４の奥深くまで入り込み易くなる。また、保温粒体１０５は、発泡ポリスチレン樹脂以外の樹脂材料によっても構成することができる。この場合、保持粒体１０５は、発泡ポリスチレン樹脂のように人畜無害の材料で構成されるとよい。
【００３６】
また、上記実施形態においては、保温粒体１０５は、大きさが１.０ｍｍ以上の保温粒体１０５が１.０ｍｍ未満の大きさの保温粒体１０５の数よりも多く構成されている。これにより、保温具１００は、保温材１０４に引っ掛かり易い大きさの大きな保温粒体１０５が大きさの小さい保温粒体１０５に比べて混合比率が大きいため、保温粒体１０５による保温性を維持向上させることができるとともに保温粒体１０５の表皮１０１からの漏出を抑制することができる。
【００３７】
しかし、保温粒体１０５は、互いに異なる大きさの粒体で構成されていればよく、必ずしも上記実施形態に限定されるものではない。したがって、保温粒体１０５は、例えば、互いに異なる大きさの粒体を同数ずつ、または相対的な大きさが小さい方の保温粒体１０５（例えば、大きさが０.５ｍｍ）の数が大きい方の保温粒体１０５（例えば、２.０ｍｍ）の数よりも多く構成することもできる。
【００３８】
例えば、保温粒体１０５は、保温材１０４に混合される保温粒体１０５の大きさのメディアン値（中央値）が同保温材１０４に混合される保温粒体の大きさの平均値よりも大きくなるように構成することができる。これによれば、保温具１００は、保温材１０４に混合される保温粒体１０５は、大きさの分布が均等（正規分布）ではなく大きい方に偏るようになる。すなわち、保温粒体１０４は、分布の度数が高い大きさ保温粒体１０５に対してかなり小さな大きさの保温粒体１０５を含むことになる。これにより、保温具１０５は、保温材１０４における小さな隙間や孔部にまで保温粒体１０５が進入することができるため、保温具１００の保温性を向上させることができる。
【００３９】
また、保温粒体１０５は、保温材１０４に混合される保温材１０４の大きさの平均値以上の大きな保温粒体１０５の数が平均値未満の大きさの保温粒体１０５の数よりも多くなるように構成することができる。これによれば、保温具１００は、保温材１０４に混合される保温粒体１０５の大きさの平均値以上の大きな保温粒体１０５の数が平均値未満の大きさの保温粒体１０５の数よりも多く含まれて構成されている。すなわち、保温具１００は、保温材１０４における隙間や孔部に嵌ったり引っ掛かったりし易い大きさの大きな保温粒体１０５が大きさの小さい保温粒体１０５に比べて混合比率が大きいため、保温粒体１０５による保温性を維持向上させることができるとともに保温粒体１０５の表皮からの漏出を抑制することができる。
【００４０】
また、保温粒体１０５は、保温材１０４に混合される保温粒体１０５の大きさのメディアン値が同保温材１０４に混合される保温粒体１０５の大きさの平均値よりも小さく構成することもできる。これによれば、保温具１００は、保温材１０４に混合される保温粒体１０５の大きさの分布において、大きさの小さい側の保温粒体１０５の数が大きさの大きな側の保温粒体１０５の数に比べて多くなるため、保温材１０４の隙間や孔部に対して複数の保温粒体１０５が嵌り易くなって保温具１００の保温性を向上させることができる。なお、これらの場合、保温材１０４に混合される保温粒体１０５における大小の混合割合は、適当な数（例えば、１００〜５００個）の保温粒体１０５を無作為に抽出したサンプリング法によって確認することができる。
【００４１】
また、上記実施形態においては、保温材１０４は、ポリエステル樹脂製の綿と木綿とを混合した生地によって構成した。しかし、保温材１０４は、空気が存在する多数の隙間や孔部（空洞）を有して身体を保温できる部材であればよいため、上記実施形態以外の化学繊維以外の綿、羽毛、羊毛、多孔質体（空気を保持する複数の孔部を有して構成されており、例えば、スポンジ、ウレタンおよび発泡スチロールなど）などを単独でまたはこれらを適宜混合したもので構成することができる。
【００４２】
また、上記実施形態においては、保温粒体１０５の保温材１０４に対する混合量は、保温材１０４の重量に対して保温粒体の重量を少なく設定（具体的には、１６％）した。かし、保温粒体１０５の保温材１０４に対する混合量は上記実施形態に限定されるものではなく、保温材１０４の重量に対して保温粒体１０５の重量を同じまたは多く設定することもできる。これらの場合においては、保温具１００は、保温材１０４を表皮１０１内に均等に分散させ易くすることができるとともに、保温粒体１０５間や保温材１０４と保温粒体１０５との間の隙間に保温粒体１０５が詰められて保温具１００の保温性を向上させることができる。
【００４３】
また、上記実施形態においては、保持袋１０２を樹脂製のフィルム体で構成した。しかし、保持袋１０２は、保温材１０４および保温粒体１０５を漏出させることなく収容できる材料で構成されていれば、必ずしも上記実施形態に限定されるものではない。したがって、保持袋１０２は、例えば、不織布によって構成することもできる。また、保持袋１０２は、保温材１０４および保温粒体１０５を漏出させることなく収容するものであるため、表皮１０１が保温材１０４および保温粒体１０５を漏出させることなく収容可能、または多少の漏出が許容できるのであれば、省略することができる。
【００４４】
また、上記実施形態においては、保温層１０３は、アルミニウムを蒸着した膜で構成した。しかし、保温層１０３は、熱線を反射または吸収する材料で構成されていればよく、必ずしも上記実施形態に限定されるものでない。したがって、保温層１０３は、例えば、熱線を吸収する黒色の塗料で構成することもできる。また、保温層１０３は、保温具１００の保温性を向上させるためのものであるため、保温性が過剰な場合には省略することもできる。すなわち、保持袋１０２は、保温層１０３を省略して構成することもできる。
【００４５】
また、上記実施形態においては、表皮１０１は、ポリエステル樹脂製の綿（化学繊維）と木綿とを混合した生地によって構成した。しかし、表皮１０１は、保温材１０４を収容することができる生地（織物や不織布）であればよく、必ずしも上記実施形態に限定されるものではない。例えば、保温具１００は、表皮１０１を伸縮性のある所謂ストレッチ生地（例えば、ポリエステルとポリウレタンを混合した生地でスパンデックスなどがある）で構成するとともに、このストレッチ生地で構成された表皮１０１によって保温材１０４および保温粒体１０５を収容して構成することができる。この場合、表皮１０１は、保温材１０４を全面から押え付けるように、換言すれば所謂パンパンな状態で収容するとよい。これによれば、保温具１００は、保温粒体１０５が保温材１０４内に進入し易いとともに脱漏し難くなるため、より保温性を向上させることができる。また、保温材１０４の重量に対して保温粒体１０５の重量を同じまたは多く設定した場合においては、保温粒体１０５間や保温材１０４と保温粒体１０５との間の隙間に保温粒体１０５が詰められて保温具１００の保温性を向上させることができる。このような伸縮性を有する表皮１０１からなる保温具１００は、クッションが好適である。
【００４６】
また、上記実施形態においては、保温具１００は、クッションで構成した。しかし、本発明に係る保温具は、身体に敷く、着る、掛けるまたは宛がうもの、具体的には、座布団、オーバーコート、ひざ掛け、抱き枕またはぬいぐるみなどにも適用することができる。
【符号の説明】
【００４７】
１００…保温具、
１０１…表皮、１０２…保持袋、１０３…保温層、１０４…保温材、１０５…保温粒体。
【図１】
2015112191.tif 000003
【図２】
2015112191.tif 000004